(57)【特許請求の範囲】
【請求項１】
開口端部（１１）の外側に容器側フランジ部（１５）が一体に周設されたトレイ型の容器本体（１０）と、前記開口端部（１１）の外側に嵌合する蓋側周壁部（２４）を有して前記容器本体（１０）に冠着する蓋体（２０）と、前記蓋体（２０）の隅部に設けられたタブ（２６）と、を有して構成される蓋付き容器であって、
前記蓋体（２０）と前記タブ（２６）との間に、前記蓋側周壁部（２４）の下端と前記タブ（２６）の基端部（２６Ａ）と連結する連結部（２７）と、該連結部（２７）に隣接配置されると共に、前記蓋側周壁部（２４）の下端と前記タブ（２６）の基端部（２６Ａ）との間に形成された隙間（２９ａ）と、前記タブ（２６）から前記蓋側周壁部（２４）に向かって前記隙間（２９ａ）内に突出し且つ前記蓋側周壁部（２４）との間に前記隙間（２９ａ）よりも小さな寸法から成るクリアランス部（２９ｂ）を介して対向する凸部（２６ｄ）とを有して形成されると共に、前記蓋体（２０）が前記容器本体（１０）に冠着された閉蓋状態において前記連結部（２７）及び前記凸部（２６ｄ）が前記容器側フランジ部（１５）上に載置されていることを特徴とする蓋付き容器。
【請求項２】
連結部（２７）がタブ（２６）中央の基端部（２６Ａ）と蓋体（２０）との間に設けられ、隙間（２９ａ）が前記連結部（２７）の両端に夫々配置されると共に、前記タブ（２６）の２つの端部（２６Ｂ）に前記隙間（２９ａ）内に突出する凸部（２６ｄ）が形成されている請求項１記載の蓋付き容器。
【請求項３】
連結部（２７）がタブ（２６）の２つの端部（２６Ｂ）と蓋体（２０）との間に夫々設けられ、隙間（２９ａ）が一方の連結部（２７）と他方の連結部（２７）との間に配置されると共に、タブ（２６）中央の基端部（２６Ａ）に前記隙間（２９ａ）内に突出する凸部（２６ｄ）が形成されている請求項１記載の蓋付き容器。
【請求項４】
タブ（２６）と連結部（２７）との間にヒンジ部（２８）を構成する溝部（２８ａ）が形成されている請求項１乃至３のいずれか一項に記載の蓋付き容器。
【請求項５】
蓋体（２０）に、容器本体（１０）の開口端部（１１）の外面に嵌合する蓋側周壁部（２４）が周設されている請求項１乃至４のいずれか一項に記載の蓋付き容器。
【請求項６】
蓋体（２０）に、容器側フランジ部（１５）に載置される蓋側フランジ部（２５）が周設されている請求項１乃至５のいずれか一項に記載の蓋付き容器。
【発明の詳細な説明】
【技術分野】
【０００１】
本発明は、蓋体を容器本体から容易に開放できるようにした蓋付き容器に関する。
【背景技術】
【０００２】
下記特許文献１に記載の蓋付き容器は、容器本体２に、開口を形成する周側部５の上縁全周に設けられた係合突部６と、周側部５にヒンジ部７ａを支点として回動するタブ７と、このタブ７のヒンジ部７ａ近傍に形成された突起部９とが設けられ、蓋３に、容器本体２の係合突部６に嵌合可能な係止凹部１３と、係止凹部１３部から延びるスカート部１４が設けられて構成されている。
閉蓋状態において、ヒンジ部７ａを支点にタブ７を回動させると、突起部９がスカート部１４を押動し、係止凹部１３が係合突部６から外れ、蓋３を開くことが可能となっている。
【先行技術文献】
【特許文献】
【０００３】
【特許文献１】特開２００４−１２３１４０号公報
【発明の概要】
【発明が解決しようとする課題】
【０００４】
しかし、上記特許文献１に記載の先行技術では、容器本体２側に設けられたタブ７は、その下側部分である作動片７ｃの両側部が切り離し部１１、１１を介して鍔部１０の両端にそれぞれ連結された構成であるため、最初に作動片７ｃを強く引いて切り離し部１１において鍔部１０から切断し、その後に作動片７ｃだけをヒンジ部７ａを支点として上方へ回動させる、という２段階の作業を要することから、蓋３を容易に外すことが難しいという問題がある。
【０００５】
また容器本体２は鍔部１０を備えた構成とする必要があると共に、この鍔部１０に切り離し部１１、１１を形成しておく必要があることから構成が複雑であり、
製造コストを低く抑えることが困難であるという問題もある。
【０００６】
本発明は、上記した従来技術における問題点を解消すべく、簡単な作業により、蓋体と容器本体との嵌合を容易に解除して開放できるようにすると共に、簡単な構成によって製造コストを低く抑えることを可能とする蓋付き容器を創出することを課題とする。
【課題を解決するための手段】
【０００７】
上記課題を解決するための手段のうち、本発明の主たる手段は、
開口端部の外側に容器側フランジ部が一体に周設されたトレイ型の容器本体と、
開口端部の外側に嵌合する蓋側周壁部を有して容器本体に冠着する蓋体と、蓋体の隅部に設けられたタブと、を有して構成される蓋付き容器であって、
蓋体とタブとの間に、蓋側周壁部の下端とタブの基端部と連結する連結部と、連結部に隣接配置されると共に、蓋側周壁部の下端とタブの基端部との間に形成された隙間と、タブから蓋側周壁部に向かって隙間内に突出し且つ蓋側周壁部との間に隙間よりも小さな寸法から成るクリアランス部を介して対向する凸部とを有して形成されると共に、蓋体が容器本体に冠着された閉蓋状態において連結部及び凸部が容器側フランジ部上に載置されていることを特徴とする、と云うものである。
【０００８】
本発明の主たる手段では、閉蓋状態において、タブの先端を指で摘みながら上方に持ち上げると、ヒンジ部（溝部）を支点にタブが回転して凸部が容器側フランジ部の上面を蹴り上げ、蓋体に上向きの力を作用させるため、容器本体側の開口端部と蓋側周壁部との嵌合解除を達成し得る。
【０００９】
また本発明の他の手段は、本発明の主たる手段に、連結部がタブ中央の基端部と蓋体との間に設けられ、隙間が連結部の両端に夫々配置されると共に、タブの２つの端部に隙間内に突出する凸部が形成されている、との構成を加えたものである。
【００１０】
上記手段では、タブの両側に夫々設けた２つの凸部で容器側フランジ部の上面を蹴り上げることで、蓋体をバランス良く押し上げることを達成し得る。
【００１１】
また本発明の他の手段は、本発明の主たる手段に、連結部がタブの２つの端部と蓋体との間に夫々設けられ、隙間が一方の連結部と他方の連結部との間に配置されると共に、タブ中央の基端部に隙間内に突出する凸部が形成されている、との構成を加えたものである。
【００１２】
上記手段では、容器側フランジ部の上面を蹴り上げる凸部をタブの中央の一ヵ所に設けた構成であるため、集中的に発生する大きな押し上げる力で蓋体を押し上げることを達成し得る。
【００１３】
また本発明の他の手段は、上記いずれかの手段に、タブと連結部との間にヒンジ部を構成する溝部が形成されている、との構成を加えたものである。
【００１４】
上記手段では、ヒンジ部を構成する溝部を支点とするタブのスムーズな回動を達成し得る。
【００１５】
また本発明の他の手段は、上記いずれかの手段に、蓋体に、容器本体の開口端部の外面に嵌合する蓋側周壁部が周設されている、との構成を加えたものである。
【００１６】
上記手段では、蓋体と容器本体との間の密封状態の保持を達成し得る。
【００１７】
また本発明の他の手段は、上記いずれかの手段に、蓋体に、容器側フランジ部に載置される蓋側フランジ部が周設されている、との構成を加えたものである。
【００１８】
上記手段では、容器本体に冠着する蓋体の姿勢を水平とし、蓋体と容器本体との間の気密性の向上を達成し得る。
【発明の効果】
【００１９】
本発明は、上記した構成となっているので、以下に示す効果を奏する。
本発明では、閉蓋状態において、タブの先端を指で摘みながら上方に持ち上げるだけで容器本体側の開口端部と蓋側周壁部との嵌合が解除され、蓋体を容易に開放させることができる。
【図面の簡単な説明】
【００２０】
【図１】本発明の第１実施例としての蓋付き容器を示す平面図である。
【図２】図１の蓋付き容器を側方から見た状態を示す半断面図である。
【図３】第１実施例の要部を拡大して示す平面図である。
【図４】図３のＩＶ−ＩＶ線における縦断面図である。
【図５】図３のＶ−Ｖ線における縦断面図であり、Ａは閉蓋状態、Ｂはタブを操作した状態である。
【図６】本発明の第２実施例の要部を拡大して示す平面図である。
【図７】図６のＶＩＩ−ＶＩＩ線における縦断面図であり、Ａは閉蓋状態、Ｂはタブを操作した状態である。
【発明を実施するための形態】
【００２１】
以下、本発明の実施の形態について図面を参照しつつ説明する。
図１は本発明の第１実施例としての蓋付き容器を示す平面図、図２は図１の蓋付き容器を側方から見た状態を示す半断面図、図３は第１実施例の要部を拡大して示す平面図、図４は図３のＩＶ−ＩＶ線における縦断面図、図５は図３のＶ−Ｖ線における縦断面図であり、Ａは閉蓋状態、Ｂはタブを操作した状態である。
【００２２】
本発明である蓋付き容器１は、例えばバターやマーガリン、あるいは各種のジャム、チョコレート等の食品を収納するための容器であり、例えばポリプロピレン、ポリエチレン等の合成樹脂製から成る容器本体１０と蓋体２０を有して構成される。
【００２３】
容器本体１０は平面視略長方形状から成るトレイ型であり、開口端部１１、容器側段差部１２、容器側周壁部１３及び底部１４を有して構成され、開口端部１１の外側下端には水平に突出する容器側フランジ部１５が一体に周設されている。
【００２４】
蓋体２０は容器本体１０同様のトレイ型で形成され、頂壁部２１、上壁部２２、蓋側段差部２３、蓋側周壁部２４、蓋側フランジ部２５及びタブ２６を有して構成されている。
蓋体２０を容器本体１０に嵌着した閉蓋状態では、蓋側段差部２３が開口端部１１の上端に載置され、蓋側フランジ部２５が容器側フランジ部１５の上に載置され、且つ容器本体１０側の開口端部１１の外側に蓋側周壁部２４が嵌合されることにより、蓋付き容器１の密封状態を保持することが可能となっている。
【００２５】
タブ２６は蓋体２０の四つの隅部の一角に設けられており、図３に示すように、蓋側周壁部２４に沿って湾曲線状に形成された底辺２６ａと２つの斜辺２６ｂとを有して成る平面視略直角二等辺三角形状の部材として形成されている。
【００２６】
第１実施例に示すタブ２６は、底辺２６ａ中央の基端部２６Ａに突設された連結部２７を介して蓋体２０の隅部の蓋側周壁部２４の下端に連結されており、基端部２６Ａ以外の両端部分は蓋側周壁部２４から所定の寸法ｄ１から成る隙間２９ａを介して対向配置されている。そして、隙間２９ａに隣接する２つの端部２６Ｂには蓋側周壁部２４に向かって隙間２９ａ内に突出する凸部２６ｄが夫々形成されている。これら２つの凸部２６ｄと蓋側周壁部２４とが対向する部分には、隙間２９ａよりも小さな寸法ｄ２（ｄ２＜ｄ１）から成るクリアランス部２９ｂが設けられている。
タブ２６の基端部２６Ａと連結部２７との間にはヒンジ部２８を構成する溝部２８ａが形成されており、タブ２６はこの溝部２８ａにおいて折り曲げることが可能となっている。
なお、閉蓋状態においては、これら２つの凸部２６ｄ及び連結部２７は、蓋側フランジ部２５同様に容器側フランジ部１５の上に載置される。
【００２７】
図４に示すように、閉蓋状態において、タブ２６の先端を指で摘みながら上方に持ち上げると、タブ２６の基端部２６Ａがヒンジ部２８を構成する溝部２８ａを中心に折り曲るため、タブ２６を回動させることができる。この際、図５Ａ及び図５Ｂに示すように、タブ２６の両端の２つの端部２６Ｂにおいては、ヒンジ部２８（溝部２８ａ）を支点にタブ２６が回転して２つの凸部２６ｄが容器側フランジ部１５の上面を蹴り上げ、蓋体２０に上向きの力を作用させる。これにより、容器本体１０側の開口端部１１と蓋側周壁部２４との嵌合が解除され、蓋体２０を容器本体１０の開口端部１１から容易に開放させることができる。
【００２８】
第１実施例に示す蓋付き容器１では、容器側フランジ部１５の上面を蹴り上げる２つの凸部２６ｄをタブ２６の両側に夫々設けた構成であるため、蓋体２０をバランス良く押し上げることが可能となり、タブ２６の先端を指で摘みながら上方に持ち上げるという一度の作業により、蓋体２０を簡単且つ確実に開放することができる。
しかもタブ２６の２つの端部２６Ｂに凸部２６ｄを夫々形成するという簡単な構成とすることができるため、製造コストを低く抑えることが可能となる。
【００２９】
図６は本発明の第２実施例の要部を拡大して示す平面図、図７は図６のＶＩＩ−ＶＩＩ線における縦断面図であり、Ａは閉蓋状態、Ｂはタブを操作した状態である。
第２実施例に示す蓋付き容器１が、上記第１実施例と異なる点はタブ２６の構成にあり、その他の構成及び効果は上記第１実施例同様である。このため、以下においては主に第１実施例と異なる部分について説明する。なお、第１実施例と同一の部材については同一の符号を付して説明する。
【００３０】
第２実施例に示す蓋付き容器１では、平面視略直角二等辺三角形状に形成されているタブ２６の底角である２つの端部２６Ｂが連結部２７を介して蓋体２０の蓋側周壁部２４に夫々連結されており、中央の基端部２６Ａで且つ一方の連結部２７と他方の連結部２７との間には隙間２９ａが隣接配置されている。そして、この中央の基端部２６Ａには、蓋側周壁部２４に向かって隙間２９ａ内に突出する凸部２６ｄが形成されている。この凸部２６ｄと蓋側周壁部２４との間には、隙間２９ａよりも小さな寸法ｄ２（ｄ２＜ｄ１）から成るクリアランス部２９ｂが設けられている。
タブ２６の２つの端部２６Ｂと連結部２７との間にはヒンジ部２８を構成する溝部２８ａが夫々形成されており、タブ２６はこの２つの溝部２８ａにおいて折り曲げることが可能となっている。
なお、閉蓋状態においては、凸部２６ｄ及び２つの連結部２７は、蓋側フランジ部２５同様に容器側フランジ部１５の上に載置される。
【００３１】
閉蓋状態において、タブ２６の先端を指で摘みながら上方に持ち上げると、タブ２６は２つの端部２６Ｂにおいてヒンジ部２８を構成する溝部２８ａを中心に折り曲るため、タブ２６を回動させることができる。この際、図７Ａ及び図７Ｂに示すように、タブ２６中央においては、タブ２６が回転して凸部２６ｄが容器側フランジ部１５の上面を蹴り上げ、蓋体２０に上向きの力を作用させる。これにより、上記第１実施同様に、容器本体１０側の開口端部１１と蓋側周壁部２４との嵌合が解除され、蓋体２０を容器本体１０の開口端部１１から容易に開放させることができる。
【００３２】
第２実施例に示す蓋付き容器１では、容器側フランジ部１５の上面を蹴り上げる凸部２６ｄをタブ２６の中央に設けた構成であるため、蓋体２０を押し上げる力を集中的に作用させることが可能となり、タブ２６の先端を指で摘みながら上方に持ち上げるという一度の作業により、大きな力を得て蓋体２０を簡単且つ確実に開放することができる。
またこの第２実施例も、タブ２６の中央の基端部２６Ａに凸部２６ｄを夫々形成するという簡単な構成とすることができるため、製造コストを低く抑えることが可能となる。
【００３３】
以上、実施例に沿って本発明の構成とその作用効果について説明したが、本発明の実施の形態は上記実施例に限定されるものではない。
例えば、上記実施例では平面視略長方形状から成る蓋付き容器を示して説明したが、本発明は上記実施例に限定されるものではなく、例えば平面視円形状や平面視略楕円形状などその他の形状から成る蓋付き容器で合っても良い。
【００３４】
また上記実施例では、平面視略直角二等辺三角形状から成るタブの形状を示して説明したが、本発明は上記実施例に限定されるものではなく、例えば平面視円形状の一部を使用した形状などその他の形状から成る蓋付き容器で合っても良い。
【産業上の利用可能性】
【００３５】
本発明は、例えばバターやマーガリン等を入れる蓋付き容器の分野における用途展開をさらに広い領域で図ることができる。
【符号の説明】
【００３６】
１    ：  蓋付き容器
１０  ：  容器本体
１１  ：  開口端部
１２  ：  容器側段差部
１３  ：  容器側周壁部
１４  ：  底部
１５  ：  容器側フランジ部
２０  ：  蓋体
２１  ：  頂壁部
２２  ：  上壁部
２３  ：  蓋側段差部
２４  ：  蓋側周壁部
２５  ：  蓋側フランジ部
２６  ：  タブ
２６Ａ：  基端部
２６Ｂ：  端部
２６ａ：  底辺
２６ｂ：  斜辺
２６ｄ：  凸部
２７  ：  連結部
２８  ：  ヒンジ部
２８ａ：  溝部
２９ａ：  隙間
２９ｂ：  クリアランス部
【図１】
0006598657.tif 000002
【図２】
0006598657.tif 000003
【図３】
0006598657.tif 000004
【図４】
0006598657.tif 000005
【図５】
0006598657.tif 000006
【図６】
0006598657.tif 000007
【図７】
0006598657.tif 000008